(57)【要約】【課題】圧力空気によって支援された搬送が省略され得るようになっていて、尿素粒質物粒の、アンモニア所要量に適合可能な調量を可能にする、固体の尿素粒質物粒のための供給装置を提供する。【解決手段】排ガス管路の内側または外側に配置されたアンモニア発生器６内に固体の尿素粒質物粒を供給するための供給装置７であって、内燃機関の排ガスを触媒により浄化する際にＮＯｘ還元を引き起こし、この場合、尿素粒質物粒がリザーブタンク５内に貯えられている形式のものにおいて、供給装置７が、尿素粒質物粒を供給するための流入部２４を備えたケーシング１５と、渦巻き状に形成された少なくとも１つの加速通路２８，２９を有している、内部でモータにより駆動される回転ディスク２６と、外部に向かって案内されている流出通路３０とを有しており、該流出通路には、アンモニア発生器６に通じている管１５が接続している。【選択図】図３
2006002775.tif 000002
【特許請求の範囲】
【請求項１】
排ガス管路の内側または外側に配置されたアンモニア発生器（６）内に固体の尿素粒質物粒を供給するための供給装置（７）であって、内燃機関またはガスタービンまたはバーナの排ガスを触媒により浄化する際にＮＯｘ還元を引き起こし、この場合、尿素粒質物粒がリザーブタンク（５）内に貯えられている形式のものにおいて、
供給装置（７）が、尿素粒質物粒を供給するための流入部（２４）を備えたケーシング（１５）と、渦巻き状に形成された少なくとも１つの加速通路（２８，２９）を有している、内部でモータにより駆動される回転ディスク（２６）と、外部に向かって案内されている流出通路（３０）とを有しており、該流出通路（３０）には、アンモニア発生器（６）に通じている管（１５）が接続していることを特徴とする、排ガス管路の内側または外側に配置されたアンモニア発生器内に固体の尿素粒質物粒を供給するための供給装置。
【請求項２】
渦巻き状に形成された少なくとも１つの加速通路（２８，２９）が、ディスク（２６）の上面に配置されていて、加速面が壁（３１，３２）によって制限されていて、該壁が複数の円半径および／または対数曲線および／または連続的に一貫して正の勾配を伴う曲線から形成された経過を有している、請求項１記載の供給装置。
【請求項３】
少なくとも１つの加速通路（２８，２９）がディスク（２６）の回転軸線の領域で始まっており、ディスク（２６）の周囲縁部まで導出されていて、この場所でこの周囲縁部に関して少なくともほぼ接線方向に延びている、請求項１又は２記載の供給装置。
【請求項４】
ケーシング（１５）内ではディスク（２６）の周囲に、このディスク（２６）に配置された少なくとも１つの加速通路（２８，２９）の高さで、ディスクの回転軸線に対して同軸のリング通路（３０）が配置されていて、このリング通路（３０）は流出通路（３０）の一部を形成しており、前記リング通路内に、加速された尿素粒質物粒が流入開口（３０／２）を介して導入可能である、請求項１から３までのいずれか１項記載の供給装置。
【請求項５】
ケーシング（１５）内でディスク（２６）の周囲に配置された前記リング通路（３０／１）からは、流出通路（３０）の別の区分として孔（３０／３）が接線方向に分岐していて、該孔（３０／３）にはアンモニア発生器（６）に通じる管（８）が接続されている、請求項４記載の供給装置。
【請求項６】
調量装置（１２）が設けられており、該調量装置によって、尿素粒質物粒をリザーブタンク（５）から調量して供給装置（７）のケーシング（１５）に導入可能である、請求項１記載の供給装置。
【請求項７】
供給装置（７）の上方に配置された尿素粒質物粒のためのリザーブタンク（５）が下方領域に、漏斗、または底部側の流出開口（１４）に通じている少なくとも１つの傾斜した面（１３）を有している、請求項１から６までのいずれか１項記載の供給装置。
【請求項８】
調量装置（１２）が、供給装置（７）のリザーブタンク（５）とケーシング（１５）との間に配置されていて、調量装置（１２）の流入部（１６）がリザーブタンク（５）の流出開口（１４）に接続されており、調量装置（１２）の流出部（２２）が供給装置（７）の流入部（２４）に接続されている、請求項６または７記載の供給装置。
【請求項９】
リザーブタンク（５）における底部側の流出開口（１４）の形状およびサイズは、それぞれ１つの尿素粒質物粒が個別に流出できるように設計されている、請求項８記載の供給装置。
【請求項１０】
リザーブタンク（５）における底部側の流出開口（１４）の形状およびサイズは、複数の尿素粒質物粒が同時に流出できるように設計されていて、有利には縦長の流出縦穴によって形成されている、請求項８記載の供給装置。
【請求項１１】
調量装置（１２）の流入部（１６）が、リザーブタンク（５）の流出開口（１４）の形状およびサイズに適合させられている、請求項９または１０記載の供給装置。
【請求項１２】
調量装置（１２）が、エンドレスにめぐっていて流入部（１６）に沿って通過運動する搬送ベルト（１７）を有しており、該搬送ベルト（１７）は、互いに隣り合っている多数の凹部（１７／１）を有しており、これらの凹部（１７／１）内にそれぞれ１つの尿素粒質物粒が収容可能である、請求項６または８または１１記載の供給装置。
【請求項１３】
調量装置（１２）の搬送ベルト（１７）が、互いに間隔を保って支承された２つの歯車（１９，２０）を介してまたは、滑子または変向装置と結合された１つの歯車を介してまたは、２つの摩擦車またはベルトプーリを介して案内されていて、歯車（１９，２０）、摩擦車またはベルトプーリのうちの少なくとも１つが、モータ（２１）によって駆動されている、請求項１２記載の供給装置。
【請求項１４】
調量装置（１２）の搬送ベルト（１７）の駆動が、供給装置（７）のディスク（１６）の駆動とは無関係に行われている、請求項１３記載の供給装置。
【請求項１５】
調量装置（１２）の流出部（２２）が変向装置（２３）を有しており、該変向装置（２３）によって尿素粒質物粒が調量装置（１２）から出発して、供給装置（７）の流入部（２４）の方向で、回転するディスク（２６）に向かって変向可能である、請求項８または１２または１３記載の供給装置。
【請求項１６】
変向装置（２３）の後方で調量装置（１２）の流出部（２２）に接続する、供給装置（７）の流入通路（２４）は、供給装置のケーシング（１５）のカバー（２５）に、この回転支承されたディスク（２６）の上方で、このディスク（２６）の回転軸線に隣接して形成されている、請求項１５記載の供給装置。
【請求項１７】
遮断弁（３３）を有する管（８）が形成されており、該遮断弁（３３）は、アンモニア発生器（６）から熱や固体の排ガス成分、湿気等が管（８）へと、かつこの管を介して供給装置（７）へと進入する可能性を防止する、請求項１記載の供給装置。
【発明の詳細な説明】
【技術分野】
【０００１】
本発明は、排ガス管路の内側または外側に配置されたアンモニア発生器（６）内に固体の尿素粒質物粒を供給するための供給装置（７）であって、内燃機関またはガスタービンまたはバーナの排ガスを触媒により浄化する際にＮＯｘ還元を引き起こし、この場合、尿素粒質物粒がリザーブタンク（５）内に貯えられている形式のものに関する。
【背景技術】
【０００２】
ディーゼルエンジンの排ガスを、ＮＯＸ低減のための選択接触還元（ＳＣＲ）によって処理することが公知である。この浄化プロセスのための還元剤としてアンモニアが使用され、このアンモニアは、種々異なる方式で排ガス管路の内側または外側に発生可能である。このための出発材料は固体の尿素または尿素水溶液であってよい。
【０００３】
ヨーロッパ特許第０４８７８８６号明細書には、尿素水溶液を加水分解によってアンモニアおよび二酸化炭素に変換する方法が開示されている。
【０００４】
これに対して、ヨーロッパ特許第０６１５７７７号明細書によれば、固体の尿素粒をアンモニアに変換し、次いで、このアンモニアを排ガス後処理の枠内で酸化窒素低減のために援用する方法が公知である。固体の尿素粒を提供するために、この尿素粒のためのリザーブタンクと特別な調量装置とが設けられている。この場合、モータ運転されるスクリュが、導入された尿素粒を、圧力空気が供給される管路内に搬送し、この管路内で尿素粒は連行され、加水分解触媒に供給される。この公知の解決手段では、尿素粒の量の不十分な調量可能性と、圧力空気の高い消費量とが欠点である。
【０００５】
ドイツ連邦共和国特許出願公開第１０２５２７３４号明細書に基づき公知の類似の解決手段では、固体の尿素小球（Harnstoffprill）が、搬送区間（この搬送区間では、モータ駆動されるスクリュによって尿素小球が粉砕装置に移動させられるようになっている）の終端部で、回転する翼もしくは刃によって粉砕される。この翼もしくは刃は同時に送風機の一部であって、この送風機のケーシング内に空気流を生ぜしめ、この空気流によって、粉砕された尿素粒が管を介して排ガス管路内に搬送される。
【０００６】
この解決手段では、独立した圧力空気源が必要とされないにも拘わらず、この解決手段は十分に満足のいくものではない。なぜならばこの解決手段は、尿素小球の、比較的に粗い調量しか許容しないからである。
【特許文献１】ヨーロッパ特許第０４８７８８６号明細書
【特許文献２】ヨーロッパ特許第０６１５７７７号明細書
【特許文献３】ドイツ連邦共和国特許出願公開第１０２５２７３４号明細書
【発明の開示】
【発明が解決しようとする課題】
【０００７】
本発明の課題は、圧力空気によって支援された搬送が省略され得るようになっていて、尿素粒質物粒の、アンモニア所要量に適合可能な調量を可能にする、固体の尿素粒質物粒のための供給装置を提供することである。
【課題を解決するための手段】
【０００８】
この課題を解決するために本発明の構成では、供給装置が、尿素粒質物粒を供給するための流入部を備えたケーシングと、渦巻き状に形成された少なくとも１つの加速通路を有している、内部でモータにより駆動される回転ディスクと、外部に向かって案内されている流出通路とを有しており、該流出通路には、アンモニア発生器に通じている管が接続しているようにした。
【発明の効果】
【０００９】
本発明による供給装置の本質は、供給装置のケーシング内に配置された回転駆動されるディスクであって、このディスクは渦巻き状に形成された少なくとも１つの加速通路を有しており、この加速通路によって個々に導入された尿素粒質物粒が調節可能な高速にまで加速可能であって、このように加速されてアンモニア発生器に供給可能であることにある。
【００１０】
尿素粒質物粒のこのような機械的な加速に基づき、先行技術の幾つかの場合のような独立的な圧縮空気源は不要である。さらに、本発明による供給装置により、極めて正確な数量的な尿素粒質物粒の調量が可能である。このことは調整技術的かつ制御技術的に正確に、排ガス清浄化に必要なアンモニア量に必要な尿素粒質物粒を適合させることができる。
【００１１】
尿素粒質物は有利には同じ大きさの球状の粒から成っている。これに対して選択的に円筒状の尿素ペレットを使用することもできる。尿素粒質物粒は数１／１０ｍｍ〜数ｍｍのサイズもしくは直径を有していて良く、有利には１．５〜３ｍｍのサイズもしくは直径であって、例えば１．３３ｇ／ｍｌの密度で予め形成されている。
【００１２】
尿素粒質物粒に加えられた速度と尿素粒質物粒の大きさとによって、尿素粒質物粒はアンモニア発生器において、格子または衝突面または衝突体に種々異なる面角度で衝突する際に多かれ少なかれ著しく個々の部分に粉砕される。このような尿素破片粒子は、アンモニア発生器に投入された尿素粒質物粒と比較して、極めて大きな総表面積を有していて、加水触媒器の入口で良好な分布を有した尿素粒子ガスを形成する。これにより最終的にアンモニアへの変換は良好に、約１５０〜２００℃の減じられた温度でも行うことができる。固体の尿素粒質物粒は本発明による供給装置によって加速され、アンモニア発生器に投入される際には有利には３０〜１００ｍ／ｓの速度を有している。本発明による供給装置のディスクの回転速度は例えば１６，０００ｒｐｍである。供給される尿素粒質物粒の量は、清浄化したい排ガス流のＮＯｘ含有量に応じる。従って例えば毎秒１００の尿素粒質物粒がアンモニア発生器に投入される。２０〜１００ヘルツの高いフィード周波数範囲により、所定の尿素粒質物粒サイズのもとで、（例えば乗用車または商用車における）その都度の調量所要量に質量流を良好かつ簡単に適合させることができる。
【００１３】
少なくとも１つの加速通路の湾曲の形式により、ディスクの回転数に加えて付加的に、尿素粒質物粒の速度に影響を与えることができる。少なくとも１つの加速通路はこのために加速面で壁によって制限されていて、この壁は、複数の円半径および／または対数曲線および／または連続的に一貫して正の勾配を伴う曲線から形成された経過を有している。
【００１４】
有利には、ディスクの上面に設けられた加速通路の少なくとも１つがディスクの回転軸線の領域で始まっていて、ディスクの周囲縁部まで導出されていて、この場所でこの周囲縁部に関して少なくともほぼ接線方向に延びている。従ってディスク面全体が良好に利用され、できるだけ長い加速通路が形成される。この加速通路により尿素粒質物粒が衝撃なくほぼゼロから最大の速度まで加速可能である。供給装置のケーシング内では、回転ディスクに、このディスクに配置された少なくとも１つの加速通路の高さで、ディスクの回転軸線に対して同軸のリング通路が配置されていて、このリング通路は流出通路一部を形成しており、前記リング通路内に、加速された尿素粒質物粒が流入開口を介して導入可能である。
【００１５】
少なくとも１つの加速通路が縁部側で接線方向に延びていることにより、尿素粒質物粒が最大の速度で、エネルギ損失なしにディスクから周りの溝に導入され、ここから流出通路の別の区分を形成する、接線状に分岐する孔を介して、この孔に接続された管に導入され、この管を介してアンモニア発生器へと投入される。
【００１６】
供給装置には有利には調量装置が配属されており、該調量装置によって、尿素粒質物粒をリザーブタンクから調量して供給装置のケーシングに導入可能である。リザーブタンクは有利にはケーシングの上方、回転ディスクの上方に配置されていて、下方領域に、底部側の流出開口に通じている少なくとも１つの傾斜した面を有している。この面は、付加的な搬送手段または搬送措置なしに尿素粒質物粒を重力だけによってリザーブタンクから導出することができる。
【００１７】
調量装置は、尿素粒質物粒のためのリザーブタンクと供給装置のケーシングとの間に配置されている。調量装置の流入部はリザーブタンクの流出開口に接続されていて、リザーブタンクの流出部は供給装置の流入部に接続されている。
【００１８】
リザーブタンクにおける底部側の流出開口の形状およびサイズは、それぞれ１つの尿素粒質物粒が個別に流出できるように、または複数の尿素粒質物粒が同時に流出できるように設計されている。後者の場合、流出開口を縦長の流出縦穴によって形成することができる。
【００１９】
調量装置の流入部が、リザーブタンクの流出開口の形状およびサイズに適合されている。
【００２０】
調量装置が、エンドレスにめぐっている搬送ベルトを有しており、該搬送ベルトは、互いに隣り合っている多数の凹部を有しており、これらの凹部内にそれぞれ１つの尿素粒質物粒が収容可能である。調量装置の搬送ベルトは、互いに間隔を保って支承された２つの歯車を介してまたは、滑子または変向装置と結合された１つの歯車を介してまたは、互いに間隔を保って支承された２つの摩擦車またはベルトプーリを介して案内されていて、歯車、摩擦車またはベルトプーリのうちの少なくとも１つがモータによって駆動されている。この場合、調量装置の搬送ベルトの駆動装置は有利には、供給装置のディスクの駆動装置とは独立的である。このようにして供給装置の回転ディスクには調量装置によって、尿素粒質物粒の量を極めて正確に調量して供給することができる。この場合、この調量は、汚染程度、特に排ガスの窒素酸化物含有量に合わせられていて、これに関する触媒による窒素酸化物低減のためのアンモニアの量に合わせられている。
【００２１】
詳しくは、調量装置の流出部に例えば１つの変向装置が設けられており、該変向装置によって尿素粒質物粒が調量装置から出発して、供給装置の流入部の方向で、回転するディスクに向かって変向可能である。変向装置の後方で調量装置の流出部には、供給装置の流入通路が接続していて、供給装置のケーシングのカバーに、回転支承されたディスクの上方で、このディスクの回転軸線に隣接して形成されている。
【００２２】
有利には、供給装置は遮断弁によって、管を介してアンモニア発生器または排ガス導管から進入してくる恐れのあるガス、汚染物、湿気、固体の排ガス成分等に対して気密に遮断可能である。
【発明を実施するための最良の形態】
【００２３】
以下に図面につき本発明による装置を図面につき詳しく説明する。
【００２４】
図１には、ディーゼルエンジン１を示してある。このディーゼルエンジン１の排ガスは、組み込まれた排ガス後処理装置、ここでは排ガスのＮＯ２増加のための予備酸化触媒３と、ＮＯｘの選択接触還元のためのＳＣＲ触媒４とを備えた排ガス系統２を介して、浄化されて雰囲気へ導出される。ディーゼルエンジン１の代わりに、排ガス発生器はバーナまたはガスタービンであってもよい。ＳＣＲ触媒内にＮＯｘ還元を引き起こすためには、ＳＣＲ触媒４内への流入前の排ガス流に、還元剤アンモニアを混合することが必要である。このアンモニアは排ガス系統２の内側または外側で生ぜしめることができ、この場合、出発ベースとして尿素水溶液かまたは固体の尿素を使用することができる。
【００２５】
本事例では、固体の尿素のみを対象とする。この尿素は、予め調製された球状または円筒形の粒質物粒の形状で、補充可能なリザーブタンク５内に蓄え可能であって、このリザーブタンク５からアンモニア発生のために放出可能である。アンモニア発生のためにはアンモニア発生器６が設けられている。このアンモニア発生器６は排ガス系統２の外側（図１に示す）または内側に配置されていてよく、尿素粒質物粒を本発明による供給装置７によって管８を介して供給される。尿素の熱による変換に際して、アンモニアおよびイソシアン酸が生じる。次いで、イソシアン酸は、アンモニア発生器６の内側で水蒸気と結合して、接触加水分解（katalytische Hydrolyse）によってやはりＮＨ３およびＣＯ２に変換される。水蒸気源としては、図１の例では、排ガス部分流が援用される。この排ガス部分流は、排ガス系統２から分岐しているバイパス管路９を介して、調整機構１０によってその量を調整されて、アンモニア発生器６内に供給可能である。変換プロセス後アンモニア発生器６の出口に得られる、アンモニアを含有するガス混合物は、流れに応じてＳＣＲ触媒４の手前すなわち上流側で、図１による図示の例では供給管路１１を介して、排ガス流内に供給される。
【００２６】
図２には、図１に図式的に配置された供給装置７を、尿素粒質物粒のためのリザーブタンク５と調量装置１２とに対する例示的な対応配置で示してある。
【００２７】
リザーブタンク５はその下方の領域に、傾斜した面または漏斗１３を有しており、この面または漏斗１３は、底部側の流出開口１４に通じている。この流出開口１４の形状およびサイズは、それぞれ１つの尿素粒質物粒が個別に流出できるようにかまたは複数の尿素粒質物粒が同時に流出できるように設計されていてよく、後者の事例では例えば縦長の流出縦穴（Auslassschacht）によって形成されていてよい。
【００２８】
図示の例では、リザーブタンク５は供給装置７の上方に配置されており、調量装置１２はリザーブタンク５と供給装置のケーシング１５との間に配置されている。調量装置１２の流入部１６はリザーブタンク５の流出開口１４に結合されていて、この流出開口１４の形式およびサイズに適合させられている。調量装置１２の流入部１６の下方では、エンドレスにめぐっている搬送ベルト１７が通過運動させられ、この搬送ベルト１７は、互いに隣り合っている多数の凹部１７／１を有しており、これらの凹部１７／１内にそれぞれ１つの尿素粒質物粒が収容可能である。エンドレスの搬送ベルト１７は調量装置１２のケーシング１８内で、この場所に互いに間隔を保って支承された２つの歯車１９，２０を介してまたは、滑子または変向装置と結合された１つの歯車を介してまたは、２つの摩擦車またはベルトプーリを介して案内されていてよい。この場合、歯車１９，２０、摩擦車またはベルトプーリのうちの少なくとも１つが、モータ２１によって駆動されている。
【００２９】
傾斜した面もしくは漏斗１３を介してリザーブタンク５の流出開口１４に向かって滑り落ちる尿素粒質物粒は、流出開口１４と調量装置の流入部１６とを介して、搬送ベルト１７の凹部１８内に落ち、この凹部１８によって流出部２２に搬送される。調量装置１２のこの流出部２２は、有利には、湾曲した変向装置２３を有しており、この変向装置２３によって尿素粒質物粒は、ほぼショックなしに調量装置１２から導出され、後続の供給装置７の流入通路２４を介して供給装置７内に供給可能である。この流入通路２４は供給装置のケーシング１５のカバー２５に、このカバー内に回転支承されたディスク２６の上方へ、このディスク２６の回転軸線に隣接して形成されている。
【００３０】
モータ２７によって駆動されるディスク２６は、本発明によれば、渦巻き状に形成された少なくとも１つの加速通路２８，２９を有している。さらに、供給装置７は、外側に向かって通じている流出通路３９を有しており、この流出通路３０には、アンモニア発生器６に通じている管８が接続している。
【００３１】
図３から十分に判るように、供給装置７の図示の実施例はディスク２６を有しており、このディスク２６は、上面に配置された２つの加速通路２８，２９を備えている。各加速通路２８，２９はその加速面が壁３１，３２によって制限されており、この壁３１，３２は、複数の円半径および／または対数曲線および／または連続的に一貫して正の勾配を伴う曲線から形成された経過を有している。この場合、１つもしくは各加速通路２８，２９は、ディスク２６の回転軸線の領域で始まっていて、ディスク２６の周囲縁部まで導出されていて、この場所で少なくともこの周囲縁部に関してほぼ接線方向に延びている。渦巻き状に形成された加速通路２８，２９を備えたディスク２６の回転によって、供給された各尿素粒質物粒は、ディスク２６の中央からその縁部まで、最大の、極めて高い速度に加速される。
【００３２】
供給装置のケーシング１５内では、ディスク２６の周囲にこのディスク２６の加速通路２８，２９の高さで、ディスクの回転軸線に対して同軸のリング通路３０／１が配置されている。このリング通路３０／１は流出通路３０の一部を形成しており、前記リング通路３０／１内に、加速された尿素粒質物粒が流入開口３０／２を介して導入可能である。前記リング通路３０／１からは、流出通路３０の別の区分として、やはりケーシング１５に形成された孔３０／３が接線方向に分岐している。この孔３０／３にはアンモニア発生器６に通じる管８が接続されている。このような孔３０／３の接線方向の配置と、この孔３０／３が管８により直線状に延長されていることにより、加速された尿素粒質物粒がリング通路３０／１から最大の速度でアンモニア発生器６の方向に供給される。
【００３３】
ディスク２６を駆動するモータ２７は、調量装置１２の搬送ベルト１７を駆動するモータ２１とは別個に独立的に駆動される。
【００３４】
搬送ベルト１７とディスク２６のこのような別個の駆動により、尿素粒質物粒をアンモニア発生器６に送り込む速度と、送り込まれる尿素粒質物粒の量とは互いに無関係に調節および制御される。
【００３５】
管８には有利には遮断弁３３が設けられている。この遮断弁３３は遮断状態で、アンモニア発生器６から熱や固体の排ガス成分、湿気等が管８へと、かつこの管を介して供給装置７へと進入する可能性を防止する。さらに遮断装置３３は、管８および供給装置７において凝縮水の形成を防止する。
【図面の簡単な説明】
【００３６】
【図１】排ガス後処理装置を備えたディーゼルエンジンの排ガス系統と、本発明による装置の対応配置の形式とを概略的に示す図である。
【図２】尿素粒質物粒のための対応配置されたリザーブタンクと対応配置された調量装置とを備えた、本発明による供給装置の実施形態を示す断面図である。
【図３】本発明による供給装置の１実施例の、回転するディスクを、ケーシングが開放した状態で示す斜視図である。
【符号の説明】
【００３７】
１  ディーゼルエンジン、  ２  排ガス系統、  ３  予備酸化触媒、  ４  ＳＣＲ触媒、  ５  リザーブタンク、  ６  アンモニア発生器、  ７  供給装置、  ８  ７，６間の管、  ９  バイパス管路、  １０  調整機構、  １１  供給管路、  １２  調量装置、  １３  ５内の面／漏斗、  １４  ５の流出開口、  １５  ７のケーシング、  １６  １２の流入部、  １７  搬送ベルト、  １８  １２のケーシング、  １９  １２内の歯車、  ２０  １２内の歯車、  ２１  １２のモータ、  ２２  １２の流出部、  ２３  ２２内の変向装置、  ２４  流入通路、  ２５  １５におけるカバー、  ２６  ７内のディスク、  ２７  ７のモータ、  ２８  ２６における加速通路、  ２９  ２６における加速通路、  ３０  流出通路、  ３１／１  リング通路、  ３０／２  ３０／１のための流入開口、  ３０／３  ３０の孔、  ３１  ２８における壁、  ３２  ２９における壁、  ３３  遮断弁
【図１】
2006002775.tif 000003
【図２】
2006002775.tif 000004
【図３】
2006002775.tif 000005